(57)【要約】【課題】画像再生装置の機能および画像データに関連するものとして指定された色空間に応じて、適切に画像再生を行う技術を提供すること。また、画像再生装置で再生された画像に関連する色空間をユーザが容易に認識できるようにすること。【解決手段】画像再生装置が、特定色空間を利用して処理対象画像データの色空間を装置依存色空間に変換する装置依存色空間変換の機能を有している場合には、（ｉ）色空間識別情報で指定された色空間が標準色空間である画像データに対しては、基本色空間変換を行って再生用画像データを生成し、（ｉｉ）指定色空間が特定色空間である画像データに対しては、装置依存色空間変換を行って再生用画像データを生成する。また、画像再生装置が装置依存色空間変換の機能を有していない場合には、（ｉ）指定色空間が標準色空間である画像データに対しては基本色空間変換を行って再生用画像データを生成するが、（ｉｉ）指定色空間が特定色空間である場合には、標準色空間で無いことを意味する通知を出力する。【選択図】  図３
2010022045.tif 000002
【特許請求の範囲】
【請求項１】
画像データと、前記画像データに関連する色空間を表す色空間識別情報と、が互いに対応付けられた画像データセットに基づいて画像を再生する装置であって、
前記色空間識別情報は、所定の標準色空間と他の特定色空間とを含む複数の色空間のうちのいずれであるかを示すことが可能であり、
前記画像再生装置は、
前記画像データを処理対象画像データとして選択し、前記処理対象画像データに色空間の変換を含む処理を実行して再生用画像データを生成するデータ処理部と、
前記再生用画像データに応じて視認可能に画像を出力する画像出力装置と、
を備え、
前記データ処理部は、
前記色空間識別情報で指定された色空間を判別する色空間判別部と、
前記特定色空間を利用せずに前記処理対象画像データに対して色空間変換を行う基本色空間変換の機能と、前記特定色空間を利用して前記処理対象画像データの色空間を前記画像出力装置に適した装置依存色空間に変換する装置依存色空間変換の機能と、を有する色空間変換部と、
を有しており、
前記データ処理部は、
（ｉ）前記色空間識別情報で指定された色空間が前記標準色空間である場合には、前記処理対象画像データに対して前記基本色空間変換を行って前記再生用画像データを生成し、
（ｉｉ）前記色空間識別情報で指定された色空間が前記特定色空間である場合には、前記処理対象画像データに対して前記装置依存色空間変換を行って前記再生用画像データを生成する、画像再生装置。
【請求項２】
請求項１記載の画像再生装置であって、
前記画像データセットは、前記画像データとして、主画像を表す主画像データと、前記主画像の縮小画像を表す縮小画像データとを含み、
前記データ処理部は、前記処理対象画像データが前記主画像データであるときに、前記色空間識別情報に応じて前記（ｉ）または（ｉｉ）の処理を実行する、画像再生装置。
【請求項３】
請求項２記載の画像再生装置であって、
前記データ処理部は、前記（ｉｉ）の場合に、さらに、前記標準色空間で無いことを意味する通知を前記画像出力装置に出力させる、画像再生装置。
【請求項４】
請求項２または３記載の画像再生装置であって、
前記データ処理部は、さらに、
（ｉｉｉ）前記処理対象画像データが前記縮小画像データである場合には、前記色空間識別情報で指定された色空間が前記標準色空間であるか否かに拘わらず、前記縮小画像データに対して前記基本色空間変換を行って前記再生用画像データを生成する、画像再生装置。
【請求項５】
請求項４記載の画像再生装置であって、
前記データ処理部は、前記（ｉｉｉ）の場合に、さらに、前記縮小画像とともに、前記標準色空間で無いことを意味する通知を前記画像出力装置に出力させる、画像再生装置。
【請求項６】
画像データと、前記画像データに関連する色空間を表す色空間識別情報と、が互いに対応付けられた画像データセットに基づいて画像を再生する装置であって、
前記色空間識別情報は、所定の標準色空間と他の特定色空間とを含む複数の色空間のうちのいずれであるかを示すことが可能であり、
前記画像再生装置は、
前記画像データを処理対象画像データとして選択し、前記処理対象画像データに色空間の変換を含む処理を実行して再生用画像データを生成するデータ処理部と、
前記再生用画像データに応じて視認可能に画像を出力する画像出力装置と、
を備え、
前記データ処理部は、
前記色空間識別情報で指定された色空間を判別する色空間判別部と、
前記特定色空間を利用せずに前記処理対象画像データに対して色空間変換を行う基本色空間変換の機能を有しているが、前記特定色空間を利用して前記処理対象画像データの色空間を前記画像出力装置に適した装置依存色空間に変換する装置依存色空間変換の機能を有していない色空間変換部と、
を有しており、
前記データ処理部は、
（ｉ）前記色空間識別情報で指定された色空間が前記標準色空間である場合には、前記処理対象画像データに対して前記基本色空間変換を行って前記再生用画像データを生成し、
（ｉｉ）前記色空間識別情報で指定された色空間が前記特定色空間である場合には、前記標準色空間で無いことを意味する通知を前記画像出力装置に出力させる、画像再生装置。
【請求項７】
請求項６記載の画像再生装置であって、
前記画像データセットは、前記画像データとして、主画像を表す主画像データと、前記主画像の縮小画像を表す縮小画像データとを含み、
前記データ処理部は、前記処理対象画像データが前記主画像データであるときに、前記色空間識別情報に応じて前記（ｉ）または（ｉｉ）の処理を実行する、画像再生装置。
【請求項８】
請求項７記載の画像再生装置であって、
前記データ処理部は、さらに、
（ｉｉｉ）前記処理対象画像データが前記縮小画像データである場合には、前記色空間識別情報で指定された色空間が前記標準色空間であるか否かに拘わらず、前記縮小画像データに対して前記基本色空間変換を行って前記再生用画像データを生成する、画像再生装置。
【請求項９】
デジタルカメラであって、
画像データと、前記画像データに関連する色空間を表す色空間識別情報と、を格納するメモリと、
画像を表示するための画像表示部と、
前記メモリ内に格納された画像データに基づいて前記画像表示部に画像を表示させる再生処理部と、
を備え、
前記再生処理部は、前記画像とともに、前記色空間識別情報で指定された色空間を識別するための通知を表示する、デジタルカメラ。
【請求項１０】
画像を再生する方法であって、
（ａ）画像データと、前記画像データに関連する色空間を表す色空間識別情報として、所定の標準色空間と他の特定色空間とを含む複数の色空間のうちのいずれであるかを示す色空間識別情報と、が互いに対応付けられた画像データセットを準備する工程と、
（ｂ）前記画像データを処理対象画像データとして選択し、前記処理対象画像データに色空間の変換を含む処理を実行して再生用画像データを生成する工程と、
（ｃ）前記再生用画像データに応じて視認可能に画像を出力する工程と、
を備え、
前記工程（ｂ）は、
（ｂ１）前記色空間識別情報で指定された色空間を判別する工程と、
（ｂ２）前記特定色空間を利用せずに前記処理対象画像データに対して色空間変換を行う基本色空間変換と、前記特定色空間を利用して前記処理対象画像データの色空間を前記画像出力装置に適した装置依存色空間に変換する装置依存色空間変換と、のいずれかを実行する工程と、
を有しており、
前記工程（ｂ２）は、さらに、
（ｉ）前記色空間識別情報で指定された色空間が前記標準色空間である場合には、前記処理対象画像データに対して前記基本色空間変換を行って前記再生用画像データを生成する工程と、
（ｉｉ）前記色空間識別情報で指定された色空間が前記特定色空間である場合には、前記処理対象画像データに対して前記装置依存色空間変換を行って前記再生用画像データを生成する工程と、
を有する画像再生方法。
【請求項１１】
請求項１０記載の画像再生方法であって、
前記画像データセットは、前記画像データとして、主画像を表す主画像データと、前記主画像の縮小画像を表す縮小画像データとを含み、
前記処理対象画像データが前記主画像データであるときに、前記色空間識別情報に応じて前記工程（ｉ）または（ｉｉ）が実行される、画像再生方法。
【請求項１２】
請求項１１記載の画像再生方法であって、
前記工程（ｉｉ）は、前記標準色空間で無いことを意味する通知を出力する工程を含む、画像再生方法。
【請求項１３】
請求項１１または１２記載の画像再生方法であって、
前記工程（ｂ）は、さらに、
（ｉｉｉ）前記処理対象画像データが前記縮小画像データである場合には、前記色空間識別情報で指定された色空間が前記標準色空間であるか否かに拘わらず、前記縮小画像データに対して前記基本色空間変換を行って前記再生用画像データを生成する工程を含む、画像再生方法。
【請求項１４】
請求項１３記載の画像再生方法であって、
前記工程（ｉｉｉ）は、前記縮小画像とともに、前記標準色空間で無いことを意味する通知を出力する工程を含む、画像再生方法。
【請求項１５】
画像を再生する方法であって、
（ａ）画像データと、前記画像データに関連する色空間を表す色空間識別情報として、所定の標準色空間と他の特定色空間とを含む複数の色空間のうちのいずれであるかを示す色空間識別情報と、が互いに対応付けられた画像データセットを準備する工程と、
（ｂ）前記画像データを処理対象画像データとして選択し、前記処理対象画像データに色空間の変換を含む処理を実行して再生用画像データを生成する工程と、
（ｃ）前記再生用画像データに応じて視認可能に画像を出力する工程と、
を備え、
前記工程（ｂ）は、
（ｂ１）前記色空間識別情報で指定された色空間を判別する工程と、
（ｂ２）前記色空間識別情報で指定された色空間が前記標準色空間である場合には、前記処理対象画像データに対して前記基本色空間変換を行って前記再生用画像データを生成する工程と、
（ｂ３）前記色空間識別情報で指定された色空間が前記特定色空間である場合には、前記標準色空間で無いことを意味する通知を出力する工程と、
を含む画像再生方法。
【請求項１６】
請求項１５記載の画像再生方法であって、
前記画像データセットは、前記画像データとして、主画像を表す主画像データと、前記主画像の縮小画像を表す縮小画像データとを含み、
前記処理対象画像データが前記主画像データであるときに、前記色空間識別情報に応じて前記工程（ｉ）または（ｉｉ）が実行される、画像再生方法。
【請求項１７】
請求項１６記載の画像再生方法であって、
前記工程（ｂ）は、さらに、
（ｉｉｉ）前記処理対象画像データが前記縮小画像データである場合には、前記色空間識別情報で指定された色空間が前記標準色空間であるか否かに拘わらず、前記縮小画像データに対して前記基本色空間変換を行って前記再生用画像データを生成する工程を含む、画像再生方法。
【請求項１８】
画像データと、前記画像データに関連する色空間を表す色空間識別情報と、が互いに対応付けられた画像データセットに基づいて画像を再生するためのコンピュータプログラム製品であって、
コンピュータ読取可能な媒体と、
前記コンピュータ読取可能な媒体に格納されたコンピュータプログラムと、
を備え、
前記色空間識別情報は、所定の標準色空間と他の特定色空間とを含む複数の色空間のうちのいずれであるかを示すことが可能であり、
前記コンピュータプログラムは、
前記画像データを処理対象画像データとして選択し、前記処理対象画像データに色空間の変換を含む処理を実行して再生用画像データを生成するデータ処理機能と、
前記再生用画像データに応じて画像出力装置に視認可能に画像を出力する画像出力機能と、
をコンピュータに実現させるプログラムであり、
前記データ処理機能は、
前記色空間識別情報で指定された色空間を判別する色空間判別機能と、
前記特定色空間を利用せずに前記処理対象画像データに対して色空間変換を行う基本色空間変換の機能と、前記特定色空間を利用して前記処理対象画像データの色空間を前記画像出力装置に適した装置依存色空間に変換する装置依存色空間変換の機能と、を有しており、
前記データ処理機能は、さらに、
（ｉ）前記色空間識別情報で指定された色空間が前記標準色空間である場合には、前記処理対象画像データに対して前記基本色空間変換を行って前記再生用画像データを生成する機能、
（ｉｉ）前記色空間識別情報で指定された色空間が前記特定色空間である場合には、前記処理対象画像データに対して前記装置依存色空間変換を行って前記再生用画像データを生成する機能と、
を有しているコンピュータプログラム製品。
【請求項１９】
画像データと、前記画像データに関連する色空間を表す色空間識別情報と、が互いに対応付けられた画像データセットに基づいて画像を再生するためのコンピュータプログラム製品であって、
コンピュータ読取可能な媒体と、
前記コンピュータ読取可能な媒体に格納されたコンピュータプログラムと、
を備え、
前記色空間識別情報は、所定の標準色空間と他の特定色空間とを含む複数の色空間のうちのいずれであるかを示すことが可能であり、
前記コンピュータプログラムは、
前記画像データを処理対象画像データとして選択し、前記処理対象画像データに色空間の変換を含む処理を実行して再生用画像データを生成するデータ処理機能と、
前記再生用画像データに応じて画像出力装置に視認可能に画像を出力する出力機能と、
をコンピュータに実現させるプログラムであり、
前記データ処理機能は、
前記色空間識別情報で指定された色空間を判別する色空間判別機能と、
前記特定色空間を利用せずに前記処理対象画像データに対して色空間変換を行う基本色空間変換の機能を有しているが、前記特定色空間を利用して前記処理対象画像データの色空間を前記画像出力装置に適した装置依存色空間に変換する装置依存色空間変換の機能と、を有しており、
前記データ処理機能は、さらに、
（ｉ）前記色空間識別情報で指定された色空間が前記標準色空間である場合には、前記処理対象画像データに対して前記基本色空間変換を行って前記再生用画像データを生成する機能と、
（ｉｉ）前記色空間識別情報で指定された色空間が前記特定色空間である場合には、前記標準色空間で無いことを意味する通知を前記画像出力装置に出力する機能と、
を有しているコンピュータプログラム製品。
【発明の詳細な説明】
【技術分野】
【０００１】
この発明は、画像データに基づいて画像を再生する技術に関する。
【背景技術】
【０００２】
デジタルスチルカメラやビデオカメラなどの画像生成装置で撮影した画像は、コンピュータやプリンタなどの種々の画像再生装置で再生される（例えば特開平９−１３９８７６号公報，特開平９−３２２１１４号公報）。画像生成装置が作成する画像データは、通常は、標準色空間（例えばｓＲＧＢ色空間）で再生されることを前提としている。例えば、画像再生装置は、画像生成装置で作成された画像データに対して基本色空間変換を実行することによって、標準色空間で表された再生用画像データを生成し、この再生用画像データに従って画像の再生（表示や印刷）を実行する。
【０００３】
ところで、画像再生時に、標準色空間とは異なる色再現範囲を有する色空間（特に、標準色空間よりも広い色再現範囲を有する色空間）を使用したい場合がある。例えば、画像データの作成時に使用された色空間が標準色空間以外の特定の色空間であることを画像データファイル内で指定しておけば、再生時にその特定色空間が有する色再現範囲を利用することが可能である。
【０００４】
しかし、特定色空間に対する色変換処理は複雑であり、処理時間またはメモリ使用量の制約から、画像再生装置によってはこのような特定色空間を利用して再生できるものと、利用できないものとが存在する。そこで、画像再生装置の機能および画像データの生成時に使用された色空間に応じて、適切に画像再生を行いたいという要望があった。また、ユーザは、画像再生装置で再生された画像に関連する色空間を認識したいという要望があった。
【発明の概要】
【発明が解決しようとする課題】
【０００５】
本発明は、上述した従来の課題を解決するためになされたものであり、画像再生装置の機能および画像データに関連するものとして指定された色空間に応じて、適切に画像再生を行う技術を提供することを第１の目的とする。また、画像再生装置で再生された画像に関連する色空間をユーザが容易に認識できるようにすることを第２の目的とする。
【課題を解決するための手段】
【０００６】
上記目的の少なくとも一部を達成するために、本発明の第１の画像再生装置は、画像データと、前記画像データに関連する色空間を表す色空間識別情報と、が互いに対応付けられた画像データセットに基づいて画像を再生する装置である。前記色空間識別情報は、所定の標準色空間と他の特定色空間とを含む複数の色空間のうちのいずれであるかを示すことが可能である。前記画像再生装置は、前記画像データを処理対象画像データとして選択し、前記処理対象画像データに色空間の変換を含む処理を実行して再生用画像データを生成するデータ処理部と、前記再生用画像データに応じて視認可能に画像を出力する画像出力装置と、を備える。前記データ処理部は、前記色空間識別情報で指定された色空間を判別する色空間判別部と、前記特定色空間を利用せずに前記処理対象画像データに対して色空間変換を行う基本色空間変換の機能と、前記特定色空間を利用して前記処理対象画像データの色空間を前記画像出力装置に適した装置依存色空間に変換する装置依存色空間変換の機能と、を有する色空間変換部と、を有している。また、前記データ処理部は、（ｉ）前記色空間識別情報で指定された色空間が前記標準色空間である場合には、前記処理対象画像データに対して前記基本色空間変換を行って前記再生用画像データを生成し、（ｉｉ）前記色空間識別情報で指定された色空間が前記特定色空間である場合には、前記処理対象画像データに対して前記装置依存色空間変換を行って前記再生用画像データを生成する。
【０００７】
この第１の画像再生装置は、基本色空間変換の機能と装置依存色空間変換の機能とを有しているので、色空間識別情報で指定された色空間が標準色空間である場合にも、その他の特定色空間である場合にも、それらに適した画像再生を行うことができる。より、具体的には、色空間識別情報で指定された色空間が標準色空間である画像データを再生する際には、その画像データに対して基本色空間変換を行って再生用画像データを生成し、一方、色空間識別情報で指定された色空間が標準色空間以外の特定色空間である画像データを再生する際には、その画像データに対して装置依存色空間変換を行って再生用画像データを生成するので、いずれの場合にも画像データに関連するものとして指定された色空間に応じて適切に画像再生を行うことが可能である。
なお、前記画像データセットは、前記画像データとして、主画像を表す主画像データと、前記主画像の縮小画像を表す縮小画像データとを含んでいてもよい。このとき、前記データ処理部は、前記処理対象画像データが前記主画像データであるときに、前記色空間識別情報に応じて前記（ｉ）または（ｉｉ）の処理を実行する。
【０００８】
第１の画像再生装置において、前記データ処理部は、前記（ｉｉ）の場合に、さらに、前記標準色空間で無いことを意味する通知を前記画像出力装置に出力させるようにしてもよい。
【０００９】
この構成によれば、色空間識別情報で指定された色空間が標準色空間である主画像データを再生する際に、標準色空間で無いことを意味する通知を出力するので、再生された色が必ずしも画像データで再現されるべき色になっていないことをユーザに認識させることができる。
【００１０】
また、前記データ処理部は、さらに、（ｉｉｉ）前記処理対象画像データが前記縮小画像データである場合には、前記色空間識別情報で指定された色空間が前記標準色空間であるか否かに拘わらず、前記縮小画像データに対して前記基本色空間変換を行って前記再生用画像データを生成するようにしてもよい。
【００１１】
この構成によれば、色空間識別情報で指定された色空間のいかんに拘わらず、縮小画像の高速再生を実現することができる。
【００１２】
前記データ処理部は、前記（ｉｉｉ）の場合に、さらに、前記縮小画像とともに、前記標準色空間で無いことを意味する通知を前記画像出力装置に出力させるようにしても良い。
【００１３】
この構成によれば、ユーザが、この通知を参考として画像の選択や処理を進めることができる。
【００１４】
本発明の第２の画像再生装置は、画像データと、前記画像データに関連する色空間を表す色空間識別情報と、が互いに対応付けられた画像データセットに基づいて画像を再生する装置である。前記色空間識別情報は、所定の標準色空間と他の特定色空間とを含む複数の色空間のうちのいずれであるかを示すことが可能である。前記画像再生装置は、前記画像データを処理対象画像データとして選択し、前記処理対象画像データに色空間の変換を含む処理を実行して再生用画像データを生成するデータ処理部と、前記再生用画像データに応じて視認可能に画像を出力する画像出力装置と、を備える。前記データ処理部は、前記色空間識別情報で指定された色空間を判別する色空間判別部と、前記特定色空間を利用せずに前記処理対象画像データに対して色空間変換を行う基本色空間変換の機能を有しているが、前記特定色空間を利用して前記処理対象画像データの色空間を前記画像出力装置に適した装置依存色空間に変換する装置依存色空間変換の機能を有していない色空間変換部と、を有している。また、前記データ処理部は、（ｉ）前記色空間識別情報で指定された色空間が前記標準色空間である場合には、前記処理対象画像データに対して前記基本色空間変換を行って前記再生用画像データを生成し、（ｉｉ）前記色空間識別情報で指定された色空間が前記特定色空間である場合には、前記標準色空間で無いことを意味する通知を前記画像出力装置に出力させる。
【００１５】
この第２の画像再生装置は、基本色空間変換の機能は有しているが、装置依存色空間変換の機能は有していないので、色空間識別情報で指定された色空間が標準色空間である場合にはそれに適した画像再生を行うことができ、一方、特定色空間である場合には適切な画像再生を行うことができない。そこで、色空間識別情報で指定された色空間が標準色空間以外の特定色空間である画像データを再生する際には、標準色空間で無いことを意味する通知を出力することによって、ユーザにその旨を認識させることができる。
【００１６】
本発明によるデジタルカメラは、画像データと、前記画像データに関連する色空間を表す色空間識別情報と、を格納するメモリと、画像を表示するための画像表示部と、前記メモリ内に格納された画像データに基づいて前記画像表示部に画像を表示させる再生処理部と、を備える。前記再生処理部は、前記画像とともに、前記色空間識別情報で指定された色空間を識別するための通知を表示する。
【００１７】
このデジタルカメラでは、画像表示部に画像とともにその色空間を表示するので、その画像を他の画像出力装置（例えばプリンタや表示装置）などに出力する前に、その画像の色空間をユーザが容易に認識することができる。
【００１８】
なお、本発明は、種々の形態で実現することが可能であり、例えば、画像再生方法および画像再生装置、それらの方法または装置の機能を実現するためのコンピュータプログラム、そのコンピュータプログラムを記録した記録媒体等の形態で実現することができる。
【図面の簡単な説明】
【００１９】
【図１】本発明の一実施例としての画像生成／再生システムの構成を示す説明図である。
【図２】画像データファイルＭＦの構成を示す説明図である。
【図３】拡張色空間ｗＲＧＢに対応する画像再生装置の構成を示すブロック図である。
【図４】拡張色空間ｗＲＧＢに対応していない画像再生装置の構成を示すブロック図である。
【図５】拡張色空間対応の画像再生装置におけるサムネイル画像の再生処理の手順を示すフローチャートである。
【図６】拡張色空間対応の画像再生装置におけるサムネイル画像の表示例を示す説明図である。
【図７】拡張色空間対応の画像再生装置における主画像の再生処理の手順を示すフローチャートである。
【図８】拡張色空間対応の画像再生装置における主画像を表示例を示す説明図である。
【図９】拡張色空間非対応の画像再生装置における主画像の再生処理の手順を示すフローチャートである。
【図１０】拡張色空間非対応の画像再生装置における主画像再生時の表示例を示す説明図である。
【図１１】拡張色空間対応のプリンタの構成を示すブロック図である。
【図１２】拡張色空間非対応のプリンタの構成を示すブロック図である。
【図１３】プリンタで複数のサムネイル画像を印刷媒体ＰＭ上に印刷した例を示す説明図である。
【図１４】デジタルカメラ１００の背面に設けられた画像表示部１１０に、画像とその色空間とが表示された例を示す説明図である。
【発明を実施するための形態】
【００２０】
次に、本発明の実施の形態を実施例に基づいて以下の順序で説明する。
A．装置の構成：
B．拡張色空間対応の画像再生装置における画像再生：
C．拡張色空間非対応の画像再生装置における画像再生：
D．プリンタへの適用例：
E．変形例
【００２１】
A．装置の構成：
図１は、本発明の一実施例としての撮像／再生システムの構成を示す説明図である。このシステムは、デジタルカメラ１００と、コンピュータ２００と、プリンタ３００とを含んでいる。デジタルカメラ１００は画像生成装置として機能し、コンピュータ２００とプリンタ３００はそれぞれ画像再生装置として機能する。デジタルカメラ１００で生成された画像データファイルＭＦは、コンピュータ２００またはプリンタ３００に転送されて再生される。なお、本明細書において、「再生」とはモニタ上の表示と印刷とを含んでいる。以下では、コンピュータ２００を使用した画像再生について主に説明する。
【００２２】
図２は、画像データファイルＭＦの構成を示す説明図である。この画像データファイルＭＦは、色空間情報ＣＳＩと、主画像データＭＭと、サムネイル画像データＴＭとを含んでいる。主画像データＭＭとサムネイル画像データＴＭは、通常は圧縮データ（例えばＪＰＥＧ圧縮データ）の形式を有している。なお、サムネイル画像は主画像を縮小した画像なので、「縮小画像」とも呼ぶ。
【００２３】
色空間情報ＣＳＩは、画像データ（主画像データＭＭまたはサムネイル画像データＴＭ）に関連するものとして指定された色空間（「指定色空間」と呼ぶ）を表す情報である。具体的には、色空間情報ＣＳＩは、例えば、色空間タグＣＳＴと、再生階調カーブ特性（トーンカーブ）と、参照白色点色度座標値と、原色色度座標値と、を含んでいる。原色色度座標値は、ＲＧＢの３原色の色度座標値を含んでいる。通常は、色空間情報ＣＳＩで指定される色空間は、画像データの作成時に使用された色空間を表している。
【００２４】
色空間タグＣＳＴの値は、色空間の種類を示している。具体的には、例えば色空間タグＣＳＴの値に応じて色空間が以下のように識別される。
（１）ＣＳＴ＝１：標準色空間
（２）ＣＳＴ＝２：拡張色空間
【００２５】
以下の説明では、標準色空間として、モニタ用の標準色空間であるｓＲＧＢ色空間を使用する。拡張色空間としては、例えば、ＡｄｏｂｅＲＧＢ（アドビ社の商標）を使用することができる。以下の説明では、拡張色空間を「ｗＲＧＢ色空間」と呼び、標準色空間を「ｓＲＧＢ色空間」と呼ぶ。なお、色空間タグＣＳＴによって指定できる標準色空間以外の色空間としては、拡張色空間ｗＲＧＢに限らず、一般に、標準色空間とは異なる色再現範囲を有する特定の色空間を採用することができる。また、色空間タグＣＳＴで指定できる色空間の数は２に限らず、色空間タグＣＳＴは、一般に、複数の色空間を指定することが可能である。
【００２６】
色空間情報ＣＳＩに含まれる他のパラメータ値（再生階調カーブ特性、参照白色点色度座標値、原色色度座標値）は、色空間変換用マトリクスを生成するための色空間変換プロファイルとして利用される。
【００２７】
図３は、拡張色空間ｗＲＧＢに対応する画像再生装置２００の構成を示すブロック図である。この画像再生装置２００は、データ処理部２２０と、モニタ（画像表示装置）２５０とを備えている。データ処理部２２０は、データ伸長部２２２と、３つの色空間変換部２２４，２２６，２２８と、色空間判定部２３０と、出力制御部２４０とを有しており、主画像データＭＭとサムネイル画像データＴＭのうちの一方を処理対象画像データとして選択して再生処理を実行する。
【００２８】
色空間判定部２３０は、画像データファイルＭＦの色空間情報ＣＳＩ（図２）から指定色空間を判別する。色空間判定部２３０は、さらに、指定色空間が拡張色空間ｗＲＧＢである場合に、拡張色空間ｗＲＧＢ用の変換マトリクスＭＸ２を作成して第２色空間変換部２２６に供給する機能と、警告表示データ（後述する）を出力制御部２４０に供給する機能とを有している。
【００２９】
データ伸長部２２２は、処理対象となる圧縮画像データ（主画像データＭＭまたはサムネイル画像データＴＭ）を伸長して、伸長データＭＭａを生成する。良く知られているように、ＪＰＥＧ圧縮データは、ＹＣｒＹｂ色空間で表現されている。
【００３０】
第１色空間変換部２２４は、この伸長データＭＭａに対して基本マトリクスＭＸ１を用いて色空間変換を実行し、ＲＧＢ色空間の画像データＭＭｂを生成する。基本マトリクスＭＸ１は、ＹＣｒＹｂ色空間をＲＧＢ色空間に変換するためのマトリクスＭＸ１であり、データ伸長部２２２内に予め登録されている。この第１色空間変換部２２４で生成された画像データＭＭｂは、色空間タグＣＳＴで指定された色空間で表現されたデータとなる。すなわち、指定色空間が標準色空間ｓＲＧＢである場合には、画像データＭＭｂは標準色空間ｓＲＧＢで表現されたデータになり、指定色空間が拡張色空間ｗＲＧＢである場合には画像データＭＭｂは拡張色空間ｗＲＧＢで表現されたデータになる。
【００３１】
本実施例では、標準色空間ｓＲＧＢはモニタ２５０に適した色空間（モニタ２５０用の装置依存色空間）である。従って、処理対象画像データの指定色空間が標準色空間ｓＲＧＢである場合には、第１色空間変換部２２４で得られた画像データＭＭｂを用いて、出力制御部２４０が画像をモニタ２５０に出力する。一方、処理対象画像データの指定色空間が拡張色空間ｗＲＧＢである場合には、第１色空間変換部２２４で得られた画像データＭＭｂに対して、第２と第３の色変換部２２６，２２８による追加の色空間変換を実行する。
【００３２】
第２色空間変換部２２６は、拡張色空間ｗＲＧＢで表現された画像データＭＭｂを装置非依存色空間（本実施例では、ＸＹＺ色空間）に変換する。第２色空間変換部２２６で使用する変換マトリクスＭＸ２は、色空間判定部２３０から供給される。この変換マトリクスＭＸ２は、色空間情報ＣＳＩの中の参照白色点色度座標値と原色色度座標値から生成されたものである。なお、第２色空間変換部２２６では、必要に応じて再生階調カーブ特性に応じた階調変換も実行される。これは他の色空間変換でも同様である。
【００３３】
第３色空間変換部２２８は、ＸＹＺ色空間で表現された画像データＭＭｃをモニタ２５０用の装置依存色空間（本実施例では、ｓＲＧＢ色空間）に変換する。第３色空間変換部２２８で使用する変換マトリクスＭＸ３は、第３色空間変換部２２８に予め格納されている。第３色空間変換部２２８で生成された画像データＭＭｄは出力制御部２４０に供給され、これに応じて画像がモニタ２５０に出力される。
【００３４】
このように、拡張色空間対応の画像再生装置では、処理対象画像データの指定色空間が拡張色空間ｗＲＧＢである場合には、第１色空間変換部２２４で得られた画像データＭＭｂが拡張色空間ｗＲＧＢのデータであることを利用して、追加の色空間変換を実行し、装置依存色空間ｓＲＧＢに変換している。換言すれば、拡張色空間対応の画像再生装置２００では、拡張色空間ｗＲＧＢを利用して色空間を装置依存色空間（ｓＲＧＢ）に変換する装置依存色空間変換の機能を有している。従って、処理対象画像データの指定色空間が拡張色空間ｗＲＧＢである場合に、忠実に色を再現することが可能である。また、処理対象画像データの指定色空間が標準色空間ｓＲＧＢである場合にも、第１色空間変換部２２４による基本色空間変換を行うことによって忠実に色を再現することが可能である。
【００３５】
なお、３つの色空間変換部２２４，２２６，２２８で行われる３回の色空間変換は、１回の色空間変換にまとめることも可能である。
【００３６】
上述のようなデータ処理部２２０内の各構成要素の一部または全部の機能は、例えばコンピュータプログラムによって実現される。これらコンピュータプログラムは、フレキシブルディスクやＣＤ−ＲＯＭ等の、コンピュータ読み取り可能な記録媒体に記録された形態で提供することが可能である。
【００３７】
図４は、拡張色空間ｗＲＧＢに対応していない画像再生装置２００ａの構成を示すブロック図である。図３に示した装置２００との差異は、第２と第３の色空間変換部２２６，２２８が無い点だけであり、他の構成は同一である。この拡張色空間非対応の画像再生装置２００ａでは、拡張色空間ｗＲＧＢを利用して処理対象画像データの色空間を装置依存色空間（ｓＲＧＢ）に変換する装置依存色空間変換の機能を有していない。そこで、この拡張色空間非対応の画像再生装置２００ａでは、第１色空間変換部２２４で生成された画像データＭＭｂが標準色空間ｓＲＧＢのデータであるのか拡張色空間ｗＲＧＢのデータであるのかを考慮せずに、第１色空間変換部２２４で生成された画像データＭＭｂに応じてモニタ２５０上に画像を表示する。従って、指定色空間が標準色空間ｓＲＧＢである場合には忠実に色を再現することができるが、指定色空間が拡張色空間ｗＲＧＢである場合には忠実に色を再現することができない。
【００３８】
B．拡張色空間対応の画像再生装置における画像再生：
図５は、拡張色空間対応の画像再生装置２００（図３）におけるサムネイル画像の再生処理の手順を示すフローチャートである。ステップＳ１では、データ伸長部２２２（図３）がサムネイル画像データＴＭ（図２）を伸長し、第１色空間変換部２２４が基本色空間変換を実行して、画像データＭＭｂを生成する。ステップＳ２では、この画像データＭＭｂが出力制御部２４０からモニタ２５０に供給されて、サムネイル画像が表示される。そして、ステップＳ３で次のサムネイル画像を表示することが要求されるとステップＳ１に戻り、ステップＳ１，Ｓ２の処理が繰り返される。
【００３９】
図６は、サムネイル画像の表示例を示す説明図である。ここでは、複数のサムネイル画像が１つのウィンドウ内に表示されている。また、各サムネイル画像の隣接した位置に、画像データファイルのファイル名が表示されている。なお、サムネイル画像の表示例としては、このように複数のサムネイル画像を同時に表示する場合や、１つのサムネイル画像を次々に高速に切り換えながら表示する場合（いわゆるコマ送り）などがある。これらのいずれの場合にも、図５の処理手順によってサムネイル画像が再生される。
【００４０】
このように、拡張色空間対応の画像再生装置２００においては、サムネイル画像を再生するときには、色空間情報ＣＳＩを用いた色空間の判定を行わずに画像再生を行うので、高速に画像を再生することができる。ところで、処理対象となるサムネイル画像の指定色空間が拡張色空間ｗＲＧＢのデータである場合には、第１色空間変換部２２４で得られる画像データＭＭｂは拡張色空間ｗＲＧＢのデータである。この画像データＭＭｂに応じてサムネイル画像を表示すると、正しい色から多少ずれた色でサムネイル画像が表示される。しかし、サムネイル画像は画像の選択や確認のための簡易的な表示なので、画質よりも再生速度の方がより重要である場合が多い。従って、本実施例のように、サムネイル画像に関しては、装置依存色空間への色空間変換を行わずに、基本色空間変換のみを行って高速に再生することが好ましい。また、サムネイル画像の再生時には、色空間情報のチェック（色空間の判別）を行わずに処理の高速化を図ることが好ましい。
【００４１】
図７は、拡張色空間対応の画像再生装置２００における主画像の再生処理の手順を示すフローチャートである。ステップＳ１１では、色空間判定部２３０が画像データファイルＭＦから色空間情報ＣＳＩ（図２）を取得し、ステップＳ１２において指定色空間を判定する。指定色空間が標準色空間ｓＲＧＢである場合には、データ伸長と基本色空間変換を実行し（ステップＳ１３）、得られた画像データＭＭｂに応じて画像が出力される（ステップＳ１４）。一方、指定色空間が拡張色空間ｗＲＧＢである場合には、データ伸長と、３つの色空間変換部２２４，２２６，２２８による装置依存色空間変換を実行し（ステップＳ１５）、得られた画像データＭＭｄに応じて画像が出力される（ステップＳ１６）。また、このとき、標準色空間ｓＲＧＢで無いことを意味する警告（または通知）を画像に付して出力する。
【００４２】
図８は、拡張色空間対応の画像再生装置２００のモニタ２５０上に表示された主画像の例を示す説明図である。図８（Ａ）は指定色空間が標準色空間ｓＲＧＢである場合を示し、図８（Ｂ）は指定色空間が拡張色空間ｗＲＧＢである場合を示している。図８（Ｂ）の例では、ｗＲＧＢ画像データに基づいて主画像を表示しているが、モニタ２５０の色再現範囲はｗＲＧＢ色空間よりも狭いｓＲＧＢ色空間なので、一部の色は正しく表示できない可能性がある。そこで、指定色空間が拡張色空間ｗＲＧＢである場合には、図８（Ｂ）のように、標準色空間ｓＲＧＢで無いことを意味する警告（または通知）を表示することが好ましい。こうすれば、表示された画像の色が画像データで再現されるべき本来の色と異なることを、ユーザに通知することができる。なお、このような警告や通知は必ずしも画面に表示する必要は無いが、少なくとも拡張色空間ｗＲＧＢの画像データであることを意味する何らかの表示を行うことが好ましい。
【００４３】
以上のように、拡張色空間対応の画像再生装置２００においてサムネイル画像を再生する場合には、画像データの指定色空間を考慮せずに高速にサムネイル画像を表示し、また、主画像を再生する場合には画像データの指定色空間を考慮して可能な限り忠実に主画像を表示する。すなわち、サムネイル画像の高速な再生と、主画像の高画質な再生との両方を実現することができる。
【００４４】
C．拡張色空間非対応の画像再生装置における画像再生：
拡張色空間非対応の画像再生装置２００ａ（図４）におけるサムネイル画像の再生処理の手順と画像の表示結果は、図５、図６で説明した拡張色空間対応の画像再生装置２００におけるものと同じである。すなわち、拡張色空間非対応の画像再生装置２００ａにおいても、高速なサムネイル画像の表示が実行される。
【００４５】
図９は、拡張色空間非対応の画像再生装置２００ａにおける主画像の再生処理の手順を示すフローチャートである。色空間情報の取得（ステップＳ２１）と指定色空間の判別（ステップＳ２２）は、図７のステップＳ１１，Ｓ１２と同じである。また、指定色空間が標準色空間ｓＲＧＢである場合のステップＳ２３，Ｓ２４の処理も、図７のステップＳ１３，Ｓ１４と同じである。図１０（Ａ）は、このときの主画像の表示例であり、これは図８（Ａ）と同じものである。
【００４６】
ステップＳ２２において、指定色空間が拡張色空間ｗＲＧＢである場合には、ステップＳ２５においてモニタ２５０に警告（または通知）のみを表示する。図１０（Ｂ）は、この警告の一例を示している。ここでは、処理対象の画像データの指定色空間が標準色空間ｓＲＧＢでないので、正しく再生できない旨の文が表示されている。また、その警告の下に、画像データの指定色空間が標準色空間ｓＲＧＢであると見なして強制表示させるためのボタンＢ１が配置されている。ユーザがこのボタンＢ１をクリックすると、ステップＳ２３，Ｓ２４が実行されて主画像が表示される。但し、この場合は、拡張色空間ｗＲＧＢを利用した装置依存色空間変換を行うことができないので、表示される色は正しい色からかなりはずれている可能性がある。
【００４７】
以上のように、拡張色空間非対応の画像再生装置２００ａにおいて主画像を再生する場合には、処理対象の画像データの指定色空間が標準色空間ｓＲＧＢでない場合に警告や通知を表示するので、ユーザが処理対象画像データが標準色空間ｓＲＧＢのものであると誤って処理を進めてしまうことを防止することができる。
【００４８】
なお、図１０（Ｂ）のような警告を表示すること無く、指定色空間を標準色空間ｓＲＧＢであると見なしてステップＳ２３，Ｓ２４の処理によって主画像を再生するようにしても良い。但し、この場合にも、主画像とともに、標準色空間で無いことを意味する通知を表示することが好ましい。
【００４９】
D．プリンタへの適用例：
図１１は、拡張色空間対応のプリンタ３００の構成を示すブロック図である。このプリンタ３００のデータ処理部２２０ｂは、図３に示したデータ処理部２２０の構成要素の他に、ルックアップテーブル２６０と、ハーフトーン処理部２６２とを有している。また、第３色空間変換部２２８ｂの処理内容が図３の第３色空間変換部２２８と若干異なっている。他の構成は図３と同じである。なお、データ処理部２２０ｂの機能は、いわゆるプリンタドライバによって実現される。
【００５０】
第３色空間変換部２２８ｂは、ＸＹＺ色空間を、プリンタ３００の色再現範囲に適したＲＧＢ色空間（「ｐＲＧＢ色空間」と呼ぶ）に変換する機能を有している。なお、このプリンタ用色空間ｐＲＧＢとしては、拡張色空間ｗＲＧＢと同じものを利用することも可能である。この色空間変換は、プリンタ３００のインクセットに応じて予め決まっており、その変換マトリクスＭＸ３ｂは第３色空間変換部２２８ｂ内に予め格納されている。
【００５１】
ルックアップテーブル２６０は、ＲＧＢ色空間をＣＭＹＫ色空間に変換するためのものであり、色空間変換部の一種である。処理対象画像データの指定色空間が標準色空間ｓＲＧＢである場合には、第１色空間変換部２２４で生成された画像データＭＭｂがルックアップテーブル２６０に入力されて、ＣＭＹＫ色空間の画像データＭＭｆに変換される。一方、処理対象の画像データの指定色空間が拡張色空間ｗＲＧＢである場合には、第３色空間変換部２２８ｂで生成された画像データＭＭｅがルックアップテーブル２６０に入力されて、ＣＭＹＫ色空間の画像データＭＭｆに変換される。但し、ルックアップテーブル２６０としては、ｓＲＧＢデータ用のテーブルと、ｐＲＧＢデータ用のテーブルとを別々に予め準備しておくことが好ましい。
【００５２】
なお、このデータ処理部２２８ｂにおいては、第１色空間変換部２２４による色空間変換と、ルックアップテーブル２６０による色空間変換とを合わせたものが、基本色空間変換（拡張色空間ｗＲＧＢを利用しない色空間変換）に相当する。また、第１ないし第３の色空間変換部２２４，２２６，２２８と、ルックアップテーブル２６０による色空間変換とを合わせたものが、装置依存色空間変換（拡張色空間ｗＲＧＢを利用した色空間変換）に相当する。
【００５３】
ハーフトーン処理部２６２は、ルックアップテーブル２６０で生成された画像データＭＭｆにハーフトーン処理を行うことによって、印刷データＰＤを生成する。この印刷データＰＤは、出力制御部２４０から印刷実行部３１０に供給され、ここで印刷が実行される。印刷実行部３１０は、主走査駆動機構や、副走査駆動機構、印刷ヘッド、印刷ヘッド駆動回路などの種々の構成要素を有しているが、ここではその説明を省略する。
【００５４】
このプリンタ３００では、サムネイル画像を印刷する場合には図５の処理手順に従って印刷を行い、また、主画像を印刷する場合には図７の処理手順に従って印刷を行うことができる。従って、サムネイル画像を高速に印刷することができ、また、主画像を高画質に印刷することができる。なお、プリンタ３００で印刷を行う場合には、図７のステップＳ１６において警告付きの画像を印刷媒体上に印刷する代わりに、警告を画面に表示して、印刷媒体上には警告の無い画像を印刷するようにしても良い。警告の画面表示は、例えばプリンタ３００の操作部の画面上で行うようにしても良く、あるいは、プリンタドライバ（図１１のデータ処理部２２０ｂ）がインストールされたコンピュータのモニタ上で行うようにしても良い。
【００５５】
図１２は、拡張色非空間対応のプリンタ３００ａの構成を示すブロック図である。図１１に示したプリンタ３００との差異は、第２と第３の色空間変換部２２６，２２８ｂが無い点だけであり、他の構成は同一である。この拡張色空間非対応のプリンタ３００ａは、図４に示した画像再生装置２００ａと同様に、第１色空間変換部２２４で生成された画像データＭＭｂが標準色空間ｓＲＧＢのデータであるのか拡張色空間ｗＲＧＢのデータであるのかを考慮せずに、この画像データＭＭｂに応じて画像を印刷する。従って、指定色空間が標準色空間ｓＲＧＢである場合には忠実に色を再現することができるが、拡張色空間ｗＲＧＢである場合には忠実に色を再現することができない。
【００５６】
この拡張色空間非対応のプリンタ３００ａでは、サムネイル画像を印刷する場合には図５の処理手順に従って印刷を行い、また、主画像を印刷する場合には図９の処理手順に従って印刷を行うことができる。この場合に、図９のステップＳ２５においては、警告を印刷する代わりに、警告を画面に表示することが好ましい。
【００５７】
なお、図１１や図１２のプリンタで画像を印刷するときに、印刷された画像に隣接した位置に、画像データの指定色空間を明示しておけば便利な場合がある。図１３は、プリンタで複数のサムネイル画像を印刷媒体ＰＭ上に印刷した例を示している。ここでは、各サムネイル画像に隣接した位置（具体的には、その直下）に、画像データファイルのファイル名と、指定色空間の名称とが印刷されている。但し、指定色空間の名称は、標準色空間ｓＲＧＢである場合は省略されており、拡張色空間ｗＲＧＢである場合にのみ表示されている。この代わりに、常に指定色空間を示す表示を画像に隣接した位置に表示するようにしても良い。このようにしておけば、画像データファイルを利用する場合に、これらの色空間を参考として画像の選択や処理を進めることができるという利点がある。
【００５８】
なお、図１３のような指定色空間の表示は、サムネイル画像に限らず、主画像の印刷時に行うようにしてもよい。また、図３や図４の画像再生装置において、サムネイル画像や主画像の画面表示を行う際に、指定色空間を同時に表示してもよい。
【００５９】
E．変形例：
なお、この発明は上記の実施例や実施形態に限られるものではなく、その要旨を逸脱しない範囲において種々の態様において実施することが可能であり、例えば次のような変形も可能である。
【００６０】
E１．変形例１：
色空間情報の形式としては、上記実施例以外の種々のものを利用することが可能である。また、色空間情報を画像データファイル内に格納する代わりに、画像データファイルのファイル名の一部を色空間情報として利用することも可能である。例えば、画像データファイルのファイル名の拡張子によって、指定色空間を表すようにしても良い。この場合には、指定色空間が標準色空間以外の特定色空間である場合に利用される色空間変換プロファイルを、予め画像再生装置内に格納しておくことが好ましい。この構成では、個々の画像データファイルＭＦ内に色空間変換プロファイルを格納しておく必要が無いという利点がある。
【００６１】
また、色空間情報を画像データとは別個に作成し、これらを互いに対応付けておくようにしてもよい。この場合には、主画像データと、サムネイル画像データ（縮小画像データ）と、色空間情報と、が互いに対応付けられた画像データセットが構成されていることが好ましい。なお、上記実施例における画像データファイルも、主画像データとサムネイル画像データと色空間情報とが互いに対応付けられた画像データセットの一種である。なお、画像データセットは、主画像データとサムネイル画像データの両方を含んでいる必要は無く、その一方のみ（主画像データのみ）を含んでいてもよい。
【００６２】
E２．変形例２：
上記実施例では、処理対象画像データが主画像データである場合には色空間情報による指定色空間の判別を行い、サムネイル画像データである場合には指定色空間の判別を行わないものとしたが、指定色空間の判別は、データ処理部が必要とするときに実行するようにすれば良い。但し、少なくとも主画像を再生する際に、指定色空間の判別を行うことが好ましい。
【００６３】
E３．変形例３：
上記実施例では、画像生成装置としてのデジタルカメラ１００によってサムネイル画像データが作成されるものとしていたが、この代わりに、画像生成装置ではサムネイル画像データは作成せずに主画像データと色空間識別情報とを作成し、サムネイル画像データは、閲覧ソフトなどのような他のアプリケーションプログラムによって主画像データから作成されるようにしてもよい。この場合にも、主画像データとサムネイル画像データと色空間識別情報とが互いに対応付けられているので、画像再生時に上記実施例と同様の処理を実行することが可能である。
【００６４】
E４．変形例４：
ディスプレイ付きのデジタルカメラ１００は、上記実施例における画像再生装置として使用することも可能である。例えば、デジタルカメラ１００の背面に画像表示部（上記実施例の画像出力装置に相当する）が設けられている場合には、その画像表示部に画像を表示する際に、デジタルカメラ１００が上記各実施例で説明した拡張色空間対応の画像再生装置、または、拡張色空間非対応の画像再生装置として機能するようにデジタルカメラ１００を構成することが可能である。
【００６５】
また、例えば、デジタルカメラ１００の画像表示部に画像（主画像またはサムネイル画像）を表示する際に、画像とともに、色空間情報で指定された色空間を識別するための通知を表示するようにしてもよい。図１４は、デジタルカメラ１００の背面に設けられた画像表示部１１０に、画像とその色空間とが表示されている例を示している。デジタルカメラ１００で撮像された画像データとその色空間情報は、メモリ１３０内に格納されている。再生処理部１２０は、画像データと色空間情報とに応じて、画像と色空間とを画像表示部１１０に表示する処理を実行する。なお、画像の表示の際のみでなく、撮像の際に、使用する色空間を画像表示部に表示してもよい。画像表示部に画像とともに、その色空間を識別するための何らかの通知を表示するようにすれば、その画像を他の画像出力装置（例えばプリンタや表示装置）などに出力する前に、その画像の色空間をユーザが認識することができるので、適切な出力方法や出力装置を選択することができる。
【００６６】
なお、本明細書において、「デジタルカメラ」とは、静止画を撮影するデジタルスチルカメラと、動画を撮影するデジタルビデオカメラとの両方を含んでいる。
【産業上の利用可能性】
【００６７】
この発明は、画像処理装置、画像再生装置、デジタルカメラなどに適用可能である。
【図１】
2010022045.tif 000003
【図２】
2010022045.tif 000004
【図３】
2010022045.tif 000005
【図４】
2010022045.tif 000006
【図５】
2010022045.tif 000007
【図６】
2010022045.tif 000008
【図７】
2010022045.tif 000009
【図８】
2010022045.tif 000010
【図９】
2010022045.tif 000011
【図１０】
2010022045.tif 000012
【図１１】
2010022045.tif 000013
【図１２】
2010022045.tif 000014
【図１３】
2010022045.tif 000015
【図１４】
2010022045.tif 000016
【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
画像データと、前記画像データに関連する色空間を表す色空間識別情報と、が互いに対応付けられた画像データセットに基づいて画像を再生する装置であって、
前記色空間識別情報は、所定の標準色空間と他の特定色空間とを含む複数の色空間のうちのいずれであるかを示すことが可能であり、
前記画像再生装置は、
前記画像データを処理対象画像データとして選択し、前記処理対象画像データに色空間の変換を含む処理を実行して再生用画像データを生成するデータ処理部と、
前記再生用画像データに応じて視認可能に画像を出力する画像出力装置と、
を備え、
前記データ処理部は、
前記色空間識別情報で指定された色空間を判別する色空間判別部と、
前記特定色空間を利用せずに前記処理対象画像データに対して色空間変換を行う基本色空間変換の機能と、前記特定色空間を利用して前記処理対象画像データの色空間を前記画像出力装置に適した装置依存色空間に変換する装置依存色空間変換の機能と、を有する色空間変換部と、
を有しており、
前記データ処理部は、
（ｉ）前記色空間識別情報で指定された色空間が前記標準色空間である場合には、前記処理対象画像データに対して前記基本色空間変換を行って前記再生用画像データを生成し、
（ｉｉ）前記色空間識別情報で指定された色空間が前記特定色空間である場合には、前記処理対象画像データに対して前記装置依存色空間変換を行って前記再生用画像データを生成する、画像再生装置。
【手続補正３】
【補正対象書類名】明細書
【補正対象項目名】００２９
【補正方法】変更
【補正の内容】
【００２９】
データ伸長部２２２は、処理対象となる圧縮画像データ（主画像データＭＭまたはサムネイル画像データＴＭ）を伸長して、伸長データＭＭａを生成する。良く知られているように、ＪＰＥＧ圧縮データは、ＹＣｒＣｂ色空間で表現されている。
【手続補正４】
【補正対象書類名】明細書
【補正対象項目名】００３０
【補正方法】変更
【補正の内容】
【００３０】
第１色空間変換部２２４は、この伸長データＭＭａに対して基本マトリクスＭＸ１を用いて色空間変換を実行し、ＲＧＢ色空間の画像データＭＭｂを生成する。基本マトリクスＭＸ１は、ＹＣｒＣｂ色空間をＲＧＢ色空間に変換するためのマトリクスＭＸ１であり、データ伸長部２２２内に予め登録されている。この第１色空間変換部２２４で生成された画像データＭＭｂは、色空間タグＣＳＴで指定された色空間で表現されたデータとなる。すなわち、指定色空間が標準色空間ｓＲＧＢである場合には、画像データＭＭｂは標準色空間ｓＲＧＢで表現されたデータになり、指定色空間が拡張色空間ｗＲＧＢである場合には画像データＭＭｂは拡張色空間ｗＲＧＢで表現されたデータになる。